(57)【要約】【課題】安全性が高い、遊び心を刺激するコンタクトレンズを提供する。【解決手段】少なくとも外周側領域に、外部より目視可能に複数のマークを配置することにより、瞬きによる回転によって変化する当該コンタクトレンズ１の中心Ｏに対する複数のマークの位置によって、外部から見てとられる目による表情を変化させるコンタクトレンズ１であって、マークを形成する着色層１１２と、外部に露出する第１透明部１１０と、使用者の目に当接する第２透明部１１６とを有し、着色層１１２は、第１透明部１１０と第２透明部１１６とにより封止される。【選択図】図３
2016095419.tif 000002
【特許請求の範囲】
【請求項１】
少なくとも外周側領域に、外部より目視可能に複数の図形を配置することにより、中心に対する前記複数の図形の位置によって、外部から見てとられる目による表情を変化させるコンタクトレンズであって、
前記図形を形成する着色層と、
外部に露出する第１透明部と、
使用者の目に当接する第２透明部とを有し、
前記着色層は、前記第１透明部と前記第２透明部とにより封止される
ことを特徴とするコンタクトレンズ。
【請求項２】
前記着色層と、前記第２透明部との間に遮光層を更に備える請求項１に記載のコンタクトレンズ。
【請求項３】
前記複数の図形は、
当該コンタクトレンズの中心及び前記中心を通って内外周方向に延長する仮想直線に対して非対称形状に形成された
請求項１又は請求項２に記載のコンタクトレンズ。
【請求項４】
前記複数の図形は、
配置された箇所が輝いていることをそれぞれ示す複数の星のマークを備える
請求項１乃至請求項３のいずれか１項に記載のコンタクトレンズ。
【請求項５】
前記複数の図形は、
長軸が半径方向となるように設定されて放射状に配置された略楕円形状による複数のハイライトの部位を備える
請求項１乃至請求項３のいずれか１項に記載のコンタクトレンズ。
【発明の詳細な説明】
【技術分野】
【０００１】
本発明は、コンタクトレンズに関し、遊び心を刺激するコンタクトレンズを提供する。
【背景技術】
【０００２】
コンタクトレンズには、視力を補助する目的で使用されるものの他に、いわゆるカラーコンタクトのように、ファッションの目的で使用されるものが提供されている。ファッション目的のカラーコンタクトとしては、例えば、目に装着することにより、虹彩の色彩を所望する色彩に変化させるものがある。
【０００３】
また、特許文献１には、三日月形状によるパターンをコンタクトレンズに施すことにより、装着者の虹彩を強調する工夫が提案されている。
【先行技術文献】
【特許文献】
【０００４】
【特許文献１】特表２０１１−５２７０２９号公報
【発明の概要】
【発明が解決しようとする課題】
【０００５】
ところでピアス等のアクセサリーにあっては、いわゆる遊び心を刺激するものがある。ファッション目的のコンタクトレンズにあっても、このように遊び心を刺激する品物を提供することができれば、一段と利用を促進することができると考えられる。その一方で、目に装着するという使用形態から、安全性が高くしかも良好な視界を維持できることが求められる。
【０００６】
本発明は、安全性が高い、遊び心を刺激するコンタクトレンズを提供することを目的とする。
【課題を解決するための手段】
【０００７】
前記目的を達成するため、本発明は、次に記載する構成を備えている。
【０００８】
（１）  少なくとも外周側領域に、外部より目視可能に複数の図形を配置することにより、中心に対する前記複数の図形の位置によって、外部から見てとられる目による表情を変化させるコンタクトレンズであって、前記図形を形成する着色層と、外部に露出する第１透明部と、使用者の目に当接する第２透明部とを有し、前記着色層は、前記第１透明部と前記第２透明部とにより封止されることを特徴とする。
【０００９】
（１）によれば、瞬きによるコンタクトレンズの回転等を積極的に利用して、外部から見てとられる目による表情が変化するように感じさせることができ、これにより遊び心を刺激することができる。また、着色層は、第１透明部と第２透明部とにより封止されているため、着色層が外部に露出することがなくなり、着色層が剥がれて目に入ってしまったり、色素が流出して目に入ったりする事態が発生することがなくなる。このように、安全性が高いコンタクトレンズを提供することが可能になる。
【００１０】
（２）  （１）において、前記着色層と、前記第２透明部との間に遮光層を更に備える。
【００１１】
（２）によれば、遮光層を設けることにより、図形に著しく目立つ色彩を採用した場合、例えば、着色層に発光色や反射色を採用した場合に、着色層付近の光が目に入射することを遮光層によって遮ることが可能になる。これにより、装着者は、着色層が著しく目立つ色彩を採用した場合でも光のちらつきを低減することが可能になり、違和感なく装着することができる。このように、良好な視界を維持できるコンタクトレンズを提供することが可能になる。
【００１２】
（３）  （１）又は（２）において、
前記複数の図形は、
当該コンタクトレンズの中心及び前記中心を通って内外周方向に延長する仮想直線に対して非対称形状に形成されている。
【００１３】
（３）によれば、瞬きによるコンタクトレンズの回転を外部より明確に見て取ることができ、その結果、表情の変化を判り易いものとすることができる。
【００１４】
（４）  （１）〜（３）において、
前記複数の図形は、
配置された箇所が輝いていることをそれぞれ示す複数の星のマークを備える。
【００１５】
（４）によれば、より具体的構成により、遊び心を刺激するコンタクトレンズを提供することができる。また恰もアニメの登場人物のような印象を与えることができる。
【００１６】
（５）  （１）〜（３）において、
前記複数の図形は、
長軸が半径方向となるように設定されて放射状に配置された略楕円形状による複数のハイライトの部位を備える。
【００１７】
（５）によれば、より具体的構成により、遊び心を刺激するコンタクトレンズを提供することができる。また恰もアニメの登場人物のような印象を与えることができる。
【発明の効果】
【００１８】
本発明によれば、遊び心を刺激するコンタクトレンズを提供することができる。
【図面の簡単な説明】
【００１９】
【図１】本発明の第１実施形態に係るコンタクトレンズを示す図である。
【図２】本発明の第１実施形態に係るコンタクトレンズの製造装置の要部を示す図である。
【図３】本発明の第１実施形態に係るコンタクトレンズの製造工程を示す図である。
【図４】本発明の第２実施形態に係るコンタクトレンズを示す図である。
【図５】本発明の第３実施形態に係るコンタクトレンズを示す図である。
【発明を実施するための形態】
【００２０】
以下、図面を参照しながら本発明の実施形態を説明する。
【００２１】
〔第１実施形態〕
図１は、本発明の第１実施形態に係る一対のコンタクトレンズの１つを正面側より見て示す平面図である。ここで実施形態において、コンタクトレンズ１は、右目用及び左目用で同一に構成される。この図１では、最も開いた状態における瞳孔の大まかな外周を破線により示す。
【００２２】
コンタクトレンズ１は、この図１に示す瞳孔の部位を除く外周側領域に、目視可能に、複数のマーク２Ａ、２Ｂが設けられる。複数のマーク２Ａ、２Ｂが複数の図形に相当する。この実施形態では、この複数のマーク２Ａ、２Ｂに係る個々の図形に、アニメにおいて目を表現するために使用される星のマークが適用されて、この複数の図形が形状の大きな星のマーク２Ａと、この星のマーク２Ａに比して形状が小さく、星のマーク２Ａと相似形状である星のマーク２Ｂとにより構成される。
【００２３】
また各星のマーク２Ａ、２Ｂは、正面視してコンタクトレンズ１の中央より右下方向に位置するようにコンタクトレンズ１を配置した場合に、水平及び垂直方向に外周が突出するように形成される。
【００２４】
〔製造方法〕
次に、コンタクトレンズ１の製造方法について、図２及び図３を参照しながら説明する。本実施形態のコンタクトレンズ１は、所謂、サンドイッチ方式によって製造される。コンタクトレンズ１の製造装置１００は、図２に示すように、成形型１０２と、成形型１０２にコンタクトレンズ１の材料を供給する材料供給部１０４と、マーク２Ａ、２Ｂを印刷するプリント部１０６と、成形型１０２を駆動する駆動部１０８とを備えている。
【００２５】
成形型１０２は、雄型１０２ａと雌型１０２ｂとからなり、雄型１０２ａが駆動部１０８によって駆動され、雌型１０２ｂに対して近接及び離間される。
【００２６】
次に、図３を参照しながら、コンタクトレンズ１の製造工程について説明する。まず、図３（ａ）に示すように、材料供給部１０４が、雌型１０２ｂに全体の１／２程度の材料を供給する。次に、図３（ｂ）に示すように、駆動部１０８が雄型１０２ａを雌型１０２ｂに近づけ、成形型１０２を加熱してすることによって、雌型１０２ｂの凹面にコンタクトレンズ１の材料の膜からなる第１透明部１１０を形成する。雄型１０２ａは、第１透明部１１０を形成した後、雌型１０２ｂから離間する。
【００２７】
次に、図３（ｃ）に示すように、プリント部１０６が、第１透明部１１０にマーク２Ａ、２Ｂを形成する着色層１１２を印刷する。次に、図３（ｄ）に示すように、プリント部１０６が、着色層１１２の上に遮光層１１４を印刷する。
【００２８】
次に、図３（ｅ）に示すように、材料供給部１０４が、雌型１０２ｂに残りの材料を供給する。そして、駆動部１０８が雄型１０２ａを雌型１０２ｂに近づけ、成形型１０２を加熱して材料を成形し、成形型１０２内の材料を重合（固化）する。これにより、図３（ｆ）に示すように、第１透明部１１０上に第２透明部１１６が積層されるとともに、着色層１１２及び遮光層１１４が、第１透明部１１０と第２透明部１１６との間に挟み込まれた状態で封止される。
【００２９】
以上の工程により、図３（ｇ）に示すように、コンタクトレンズ１が製造される。
このように製造されたコンタクトレンズ１によれば、第１透明部１１０と第２透明部１１６との間に着色層１１２が封止されるため、マーク２Ａ、２Ｂの色素が、剥がれ落ちたり外部に流出したりして装着者の目に入る、と言った事態の発生を防止することができる。このように、色素の内包性に優れたコンタクトレンズ１を提供することが可能になり、装着時におけるコンタクトレンズ１の安全性を向上させることができる。
【００３０】
またこのコンタクトレンズ１は、装着により、アニメの登場人物のように瞳が表現されることになり、遊び心を刺激することができる。特に、コンタクトレンズは、瞬きすると回転する特徴があり、これにより複数のマーク２Ａ、２Ｂを外周側領域に配置した場合にあっては、瞬きをする毎に、複数のマーク２Ａ、２Ｂの位置が変化することになる。これにより瞬きをする毎に、目の表情が変化することになり、一段と遊び心を刺激することができる。
【００３１】
さらにこのような複数のマーク２Ａ、２Ｂにあっては、そもそも目を強調し、さらには視線を強調することができ、これにより目による表情を強調することができる。また複数のマーク２Ａ、２Ｂにあっては、このように目による表情を強調できることから、瞬きによるその位置の変化により、例えば上目使い、流し目等の、特定の方向に係る目による表情を顕著に強調することができ、その結果、瞬きする毎に目の表情を変化させ、遊び心を刺激することができる。
【００３２】
またこの実施形態では、この複数のマーク２Ａ、２Ｂが、この特定の箇所にて水平及び垂直方向に外周が突出する星のマーク２Ａ、２Ｂであることにより、瞬きしてコンタクトレンズ１の回転によりマーク２Ａ、２Ｂの位置が変化する場合には、星の傾き自体も変化し、これにより一段と著しく目による表情の変化を知覚させることができる。
【００３３】
またこのような瞬きによるコンタクトレンズ１の回転にあっては、右目と左目とで回転方向が異なり、また１回の瞬きによる回転量も右目と左目とで相違する。これにより瞬きの都度、右目と左目とでマーク２Ａ、２Ｂの向き、位置を種々に異ならせることができ、これによっても一段と目による表情を種々に変化させて、遊び心を刺激することができる。
【００３４】
またさらにコンタクトレンズ１は、当該コンタクトレンズ１の中心Ｏ、この中心Ｏを通って内外周方向に延長する任意の仮想直線Ｌに対して、非対称形状によりこの複数のマーク２Ａ、２Ｂが形成される。より具体的には、中心Ｏについては、この中心Ｏによる点対称を形成しないように、また仮想直線Ｌについては、種々の仮想直線Ｌについて線対称を形成しないように形成される。
【００３５】
これによりコンタクトレンズ１では、瞬きによるコンタクトレンズ１の回転を一段と確実に把握できるようにして、一段と確実に目による表情の変化を把握できるようにする。
【００３６】
またさらにコンタクトレンズ１は、遠くからも容易に判別できるように、星のマーク２Ａ、２Ｂを形成する着色層１１２が進出色及び又は高輝度により形成される。より具体的には黄色により形成される。これによりコンタクトレンズ１は、遠くからも見て取ることができ、これにより一段と確実に表情の変化を印象付けることができる。なおこの進出色によるマーク２Ａ、２Ｂが目立つように、マーク２Ａ、２Ｂの背景である、マーク２Ａ、２Ｂを配置する外周側領域に、黒色等の後退色及び又は低輝度の遮光層１１４が形成されている。この場合、背景（遮光層１１４）を単色により着色してもよく、またカラーコンタクトのような虹彩等の模様により着色してもよい。なおこれらのマークにあっては、カラーコンタクトレンズ等に使用される着色の技術を広く適用することができる。
【００３７】
この実施形態によれば、遮光層１１４を設けることにより、図形に著しく目立つ色彩を採用した場合、例えば、着色層１１２に発光色や反射色を採用した場合に、着色層１１２付近の光が目に入射することを遮光層１１４によって遮ることが可能になる。これにより、装着者は、着色層１１２が著しく目立つ色彩を採用した場合でも光のちらつきを低減することが可能になり、違和感なく装着することができる。このように、良好な視界を維持できるコンタクトレンズを提供することが可能になる。
【００３８】
なお、図３においては、遮光層１１４を着色層１１２の領域に形成しているが、瞳孔の部位を除く外周側領域全体に遮光層１１４を形成してもよい。
【００３９】
この実施形態によれば、コンタクトレンズの外周側領域に、外部より目視可能に複数の図形を配置し、瞬きによる回転によってこの図形の位置が変化して目による表情が変化することにより、遊び心を刺激することができる。
【００４０】
また当該コンタクトレンズの中心及びこの中心を通って内外周方向に延長する仮想直線に対して非対称形状によりこの複数の図形を形成することにより、瞬きによるコンタクトレンズの回転を外部より明確に見て取ることができ、その結果、表情の変化を判り易いものとすることができる。
【００４１】
またさらにこの複数の図形を、配置された箇所が輝いていることをそれぞれ示す複数の星のマークとすることにより、アニメの登場人物の雰囲気を醸し出して、一段と、遊び心を刺激することができる。
【００４２】
〔第２実施形態〕
図４は、図１との対比により、本発明の第２実施形態に係るコンタクトレンズを示す図である。この実施形態では、この図４の配置において、水平方向及び垂直方向、斜め方向の計８方向に外周が突出する星のマーク７Ａ及び７Ｂが適用される。またこの星のマーク７Ａ及び７Ｂは、中心Ｏを間に挟んでほぼ対向するように配置されるものの、大きさが異なる相似形状により作成される。
【００４３】
これによりコンタクトレンズ６は、第１実施形態のコンタクトレンズ１と同様に、外周側領域に、外部より目視可能に複数の図形が配置され、瞬きによる回転によってこの図形の位置が変化して目による表情が変化するように構成される。またさらにコンタクトレンズの中心及びこの中心を通って内外周方向に延長する仮想直線に対して非対称形状によりこの複数の図形が形成され、さらにはこの複数の図形が、それぞれ配置された箇所が輝いていることを示す星のマークにより形成される。
【００４４】
この実施形態のコンタクトレンズ６は、この星のマーク７Ａ、７Ｂの形状、配置が異なる点を除いて、第１実施形態と同一に構成される。
【００４５】
この実施形態においても、第１実施形態と同様の効果を得ることができる。
【００４６】
〔第３実施形態〕
図５は、図１及び図４との対比により、本発明の第３実施形態に係るコンタクトレンズを示す図である。このコンタクトレンズ１１は、長軸が半径方向となるように設定されて放射状に配置された略楕円形状による複数のハイライトの部位を示すマーク１２Ａ、１２Ｂ、１２Ｃ、１２Ｄであって、長軸の長さが異なるマーク１２Ａ、１２Ｂ、１２Ｃ、１２Ｄにより、複数の図形が形成される。この実施形態では、このハイライトによる複数の図形の構成が異なる点を除いて、第１実施形態、第２実施形態と同一に構成される。
【００４７】
ここでハイライトの部位を示すマーク１２Ａ、１２Ｂ、１２Ｃ、１２Ｄは、高輝度である白色により形成される。
【００４８】
この実施形態では、長軸が半径方向となるように設定されて放射状に配置された略楕円形状による複数のハイライトの部位を示すマークにより複数の図形を構成するようにしても、第１又は第２実施形態と同様の効果を得ることができる。
【００４９】
〔他の実施形態〕
以上、本発明の実施に好適な具体的な構成を詳述したが、本発明は、本発明の趣旨を逸脱しない範囲で、上述の実施形態の構成を種々に変更し、さらに組み合わせることができる。
【００５０】
すなわち上述の実施形態では、星のマーク、ハイライトの部位を示すマークをそれぞれ配置する場合について述べたが、本発明はこれに限らず、これらを組み合わせて配置しても良く、さらにはこれらと他のマークとを組み合わせても良い。
【００５１】
また上述の実施形態では、コンタクトレンズ１が瞬きによって回転する場合を例に説明しているが、乱視用コンタクトレンズに適用される手法を適用して、瞬きによって回転しないように設定することも可能である。
【００５２】
なお、本発明に係るコンタクトレンズは、所謂、度の有るものであっても無いものであっても適用可能である。
【符号の説明】
【００５３】
１、６、１１  コンタクトレンズ
２Ａ、２Ｂ、７Ａ、７Ｂ、１２Ａ〜１２Ｄ  マーク
１００  製造装置
１０２  成形型
１０２ａ  雄型
１０２ｂ  雌型
１０４  材料供給部
１０６  プリント部
１０８  駆動部
１１０  第１透明部
１１２  着色層
１１４  遮光層
１１６  第２透明部
【図１】
2016095419.tif 000003
【図２】
2016095419.tif 000004
【図３】
2016095419.tif 000005
【図４】
2016095419.tif 000006
【図５】
2016095419.tif 000007